【事件の表示】
　特願２００５−１８９２３５「有機発光表示装置及びその駆動方法」拒絶査定不服審判事件〔平成１８年　２月２３日出願公開、特開２００６−　５３５３６〕について、次のとおり審決する。
【結　論】
　本件審判の請求は、成り立たない。
【理　由】
１　手続の経緯  
　
　本件審判事件の手続の概要は、以下のとおりである。
　
　平成１７年　６月２９日　特許出願（パリ条約による優先権主張、２００４年８月１０日（以下、「優先日」という。）、大韓民国）
　平成２０年１１月２８日　拒絶理由通知（同年１２月１日発送） 
　平成２１年　３月　２日　意見書・手続補正書
　平成２１年１０月３０日　拒絶査定（同年１１月４日送達） 
　平成２２年　３月　４日　本件審判の請求・手続補正書
　平成２３年　２月　９日　審尋（同年２月１４日発送）
　平成２３年　５月１６日　回答書
　
２　平成２２年３月４日付け手続補正についての補正却下の決定 
　
[補正却下の決定の結論] 
　
　平成２２年３月４日付け手続補正を却下する。 
　
[理由１］新規事項の追加
（１）補正の内容
　平成２２年３月４日付け手続補正（以下「本件補正」という。）により、本件補正前の請求項１は、 
「入力された画像データのガンマ補正を行い、そのガンマ補正された画像データのビット数を調節して、変換された画像データを出力するタイミングコントローラ、
　前記変換された画像データに基づき、データ駆動信号を出力するデータ駆動部、
　前記タイミングコントローラから提供された制御信号に基づき、ゲート駆動信号を出力するゲート駆動部、及び
　前記データ駆動部及び前記ゲート駆動部によって駆動する有機発光表示パネル（ＯＬＥＤ）を含み、
　前記タイミングコントローラは、前記入力された画像データを、設定されたガンマ特性を有するように補正するデータ補正部、および前記ガンマ補正された画像データの所定の下位ビットに基づき、残りの上位ビットデータの発生頻度、および位置を時間的および空間的に調節して、前記残りの上位ビットデータのみで画面が構成されるようにするデータ調節部を含み、
　前記データ調節部は、ＦＲＣ(Frame　Rate　Control)およびディザリング(dithering)部で構成され、
　前記ＦＲＣ及びディザリング部は、前記ガンマ補正された画像データのビット数を１又は２ビット減少し、
　前記入力された画像データはｎビットデータで、前記変換された画像データはｎ'ビットデータ、ここでｎ'＝ｎ又はｎ＋１であり、
　前記変換された画像データは、画素の位置によって、（ａ）前記ガンマ補正された画像データの最後の１又は２ビットが除去されたものであるか、又は（ｂ）前記ガンマ補正された画像データの最後の１又は２ビットが除去された後、“１”が加えられたものであり、
　前記タイミングコントローラは、前記入力された画像データのガンマ補正を行う際に、ガンマ２．２曲線に合わせて前記入力された画像データのガンマ特性を変換する
ことを特徴とする有機発光表示装置。」から 
「入力された画像データのガンマ補正を行い、そのガンマ補正された画像データのビット数を調節して、変換された画像データを出力するタイミングコントローラ、
　前記変換された画像データに基づき、データ駆動信号を出力するデータ駆動部、
　前記タイミングコントローラから提供された制御信号に基づき、ゲート駆動信号を出力するゲート駆動部、及び
　前記データ駆動部及び前記ゲート駆動部によって駆動する有機発光表示パネル（ＯＬＥＤ）を含み、
　前記タイミングコントローラは、前記入力された画像データを、設定されたガンマ特性を有するように補正するデータ補正部、および前記ガンマ補正された画像データの所定の下位ビットに基づき、残りの上位ビットデータの発生頻度、および位置を時間的および空間的に調節して、前記残りの上位ビットデータのみで画面が構成されるようにするデータ調節部を含み、
　前記データ調節部は、ＦＲＣ(Frame　Rate　Control)およびディザリング(dithering)部で構成され、
　前記ＦＲＣ及びディザリング部は、前記ガンマ補正された画像データのビット数を１又は２ビット減少し、
　前記入力された画像データはｎビットデータで、前記変換された画像データはｎ'ビットデータ、ここでｎ'＝ｎ＋１であり、
　前記変換された画像データは、画素の位置によって、前記ガンマ補正された画像データの最後の１又は２ビットが除去されたものであり、
　前記タイミングコントローラは、前記入力された画像データのガンマ補正を行う際に、ガンマ２．２曲線に合わせて前記入力された画像データのガンマ特性を変換する
ことを特徴とする有機発光表示装置。」 
に補正された。 
　
　本件補正により、
ａ　「入力された画像データ」と「変換された画像データ」のビット数の関係について、「ｎ'＝ｎ」との事項が削除され、「ｎ'＝ｎ＋１」のみに限定された（以下「補正ａ」という）。
ｂ　「ガンマ補正された画像データ」に基づいて生成される「変換された画像データ」について、「画素の位置によって、（ａ）前記ガンマ補正された画像データの最後の１又は２ビットが除去されたものであるか、又は（ｂ）前記ガンマ補正された画像データの最後の１又は２ビットが除去された後、“１”が加えられたものであり」との事項から「画素の位置によって、前記ガンマ補正された画像データの最後の１又は２ビットが除去されたものであり」との事項に補正された（以下「補正ｂ」という）。
　
　補正ｂについて検討する。
　
　願書に最初に添付した明細書、特許請求の範囲、又は図面（以下、「当初明細書」という。）には、上記補正に関連して、以下の事項の記載がされている。
　
・データ補正部２２１ａ、２２１ｂ、２２１ｃは、従来の有機電気発光素子（又は有機発光表示装置）のタイミングコントローラに備えられたデータ変換部のような機能を行うものであって、入力されたｎビットのオリジナルＲＧＢ画像データのガンマ特性を図４に示したガンマ２．２曲線に合わせて変換させ、ガンマ特性が変換されたｍビットのＲＧＢ画像データを出力させる機能をする。この際、データ変換部は、ルックアップテーブル（ＬＣＴ）を用いたり、数式演算によってガンマ特性の変換を行うことができる。
　例えば、ルックアップテーブルを用いた方法の場合、オリジナルＲＧＢ画像データの各入力階調別にガンマ特性が変換されたＲＧＢ画像データをマッピングさせて構成したルックアップテーブルから入力ＲＧＢ画像データに対応する変換されたＲＧＢ画像データを検索して出力させる。ここで、ガンマ特性が変換されたｍ（ｍ＝ｎ＋２）ビットのＲＧＢ画像データは、ガンマ特性変換の精密度を向上させるために、ｎビットのオリジナルＲＧＢ画像データのビット数より多くする。
　データ補正部２１１ａ、２１１ｂ、２１１ｃを介して変換されたｍビットのＲＧＢ画像データは、ＦＲＣ及びディザリング部２２２ａ、２２２ｂ、２２２ｃに送られ、ＦＲＣ及びディザリング部２２２ａ、２２２ｂ、２２２ｃでは、ｍビットのＲＧＢ画像データに対して時間的及び空間的にディザリング処理とフレームレートコントロール(ＦＲＣ)処理が行われ、ｎ’ビットにビットが縮小する。このようにビット縮小したｎ’ビットは、オリジナルＲＧＢ画像データのビット数のｎと同じ、或いはｎ＋１である。
　このように、ＦＲＣ及びディザリング部２２２ａ、２２２ｂ、２２２ｃは、データ補正部２１１ａ、２１１ｂ、２１１ｃから出力される画像データの下位の所定のビットによって、残りの上位ビットデータの発生頻度や位置を時間的及び空間的に調節して、残りの上位ビットデータのみで画面が構成されるようにすることで、画像データのビット数を縮小させる役割をする。この際、ＦＲＣ及びディザリング部２２２ａ、２２２ｂ、２２２ｃは、データ補正部の画像データを１ビット又は２ビット縮小させる。（段落【００４３】〜、【００４６】）
　
・図７は本発明の第１実施例による有機発光表示装置の駆動方法を示す概念図である。
　図７に示したように、本発明の第１実施例による有機発光表示装置の駆動方法は、オリジナルＲＧＢ画像データが６ビット（ｎ＝６）で、タイミングコントロール内のデータ補正部の内部のデータ補正されたビット数が８ビット（ｍ＝８）の場合を前提にする。
　一方、タイミングコントローラに入力されたオリジナルＲＧＢ画像データは６ビットで、その６ビットのデータがデータ補正部を経て８ビットのデータとなり、その８ビットのデータを、ＦＲＣ及びディザリング処理をして６ビットに作り、出力する場合、有機発光表示装置の早い応答速度と大きい輝度変化によってフリッカーが発生することがある。
　このような問題を解決するために、ガンマ補正されたデータが８ビットの場合には、下位１ビットのみを切り、データ駆動部に入るデータを７ビットに作る方式を用いる。
　図７は、タイミングコントローラ２１０のデータ変換部２２０のＦＲＣ及びディザリング部２２２ａ、２２２ｂ、２２２ｃでＦＲＣ及びディザリング処理をしたデータを示している。
　データ補正部２２１ａ、２２１ｂ、２２１ｃから出力される８ビットのデータは、上位７ビットのデータと下位１ビットのデータとに分けることができ、下位１ビットのデータは‘０’、‘１’となる。この際、下位１ビットのデータが‘０’の場合を表示するためには、隣接する４つの画素を全部上位７ビットのデータに表現する。
　そして、下位１ビットのデータが‘１’の場合を表示するためには、隣接する４つの画素（横と縦２×２画素）のうち、２つの画素に上位７ビットのデータに１を加えた値を表示すると、４つの画素は平均的に下位１ビットが‘１’の場合となる。この際、このようなフリッカーが発生しないように、上位７ビット＋１に当たる画素の位置を、図７に示したように、フレームによって移動させる。
　図７において、２ｍと２ｍ＋１はゲートラインに対応する線で、横線上の何番目のラインかを、２ｋ及び２ｋ＋１はデータラインと対応する線で、縦線上の何番目のラインかを示し、２ｎ番目のフレームと２ｎ＋１番目のフレームでそれぞれ横と縦に隣接した４つの画素で下位１ビットの状態が‘０’か‘１’かによって可能な表現法を示している。
　上述した第１実施例では、ＦＲＣ及びディザリング時に減縮したデータのビット数が１ビットであり、したがって、下位１ビットに当たる表現方法も２つ、つまり‘０’、‘１’と単純である。（段落【００５２】〜【００５９】）
　
・図８は本発明の第２実施例に係る有機発光表示装置の駆動方法を示す概念図である。
　図８に示したように、本発明の第２実施例に係る有機発光表示装置の駆動方法は、外部のグラフィックソースからタイミングコントローラに入力されたオリジナル画像データが８ビット（ｎ＝８）で、データ補正部を経たデータが１０ビット（ｍ＝１０）の場合についてのものである。第２実施例では、データ補正部から出力される１０ビットの画像データのうち、下位の２ビットを切り、データ駆動部に入るデータを８ビットに作る。
　かかる第２実施例において、ディザリング法のみを用いて下位２ビットを切り、８ビットを作り、４フレームを周期で画素をオン/オフする場合、フリッカー現象が発生することがある。したがって、このようなフリッカー現象をなくすために、図８に示すように、連続するフレームで隣接した画素間の同じ位置で同一のオン/オフが発生しないように、フレーム別に配分するＦＲＣ法を用いる。
　一方、１０ビットのデータは、上位８ビットのデータと下位２ビットのデータとに分けることができ、下位２ビットのデータは、‘００’、‘０１’、‘１０’又は‘１１’となる。この際、下位２ビットのデータが‘００’である場合を表示するためには、隣接する４つの画素を全部上位８ビットのデータに表現する。
　そして、下位２ビットのデータが‘０１’の場合を表示するためには、隣接する４つの画素のうち、一つの画素には上位８ビットのデータに１を加えた値を表示すると、４つの画素は平均的に下位２ビットが‘０１’の場合となる。この際、このようなフリッカーが発生しないように、上位８ビット＋１に当たる画素の位置を図８に示したようにフレームによって移動させる。
　同様に、下位２ビットが‘１０’の場合には、隣接する４つの画素から２つの画素を上位８ビット＋１のデータに表示する。
　そして、下位２ビットが‘１１’の場合には、３つの画素を上位８ビット＋１のデータに表示する。そして、この場合にもフリッカーが発生しないように８ビット＋１のデータに表示される画素の位置をフレームによって変更させる。
　図８では、その例として４ｎ、４ｎ＋１、４ｎ＋２、４ｎ＋３フレームによって画素の位置を変更する方法を示し、これは下位２ビットの場合の数が４である点を除いては図７で説明した第１実施例の方法と同一である。（段落【００６０】〜【００６６】）
　
　すなわち、当初明細書には、
・ｎビットのオリジナルＲＧＢ画像データ（本件補正により補正された特許請求の範囲の請求項１に記載された「入力された画像データ」に相当する。以下同様。）のガンマ特性を変換して、ガンマ特性が変換されたｍ（ｍ＝ｎ＋２）ビットのＲＧＢ画像データ（「ガンマ補正された画像データ」）を生成すること
・オリジナルＲＧＢ画像データ（「入力された画像データ」）が６ビット（ｎ＝６）で、ガンマ補正されたデータ（「ガンマ補正された画像データ」）が８ビット（ｍ＝８）の場合に、データ駆動部に入るデータ（「変換された画像データ」）を７ビットにする方式で、データ駆動部に入るデータ（「変換された画像データ」）が、ガンマ補正されたデータ（「ガンマ補正された画像データ」）の上位７ビット（「最後の１ビットが除去されたもの」）であるか、又は、ガンマ補正されたデータ（「ガンマ補正された画像データ」）の上位７ビット＋１（「最後の１ビットが除去された後、“１”が加えられたもの」）のいずれかであること
・オリジナル画像データ（「入力された画像データ」）が８ビット（ｎ＝８）で、データ補正部から出力される画像データ（「ガンマ補正された画像データ」）が１０ビット（ｍ＝１０）の場合に、データ駆動部に入るデータ（「変換された画像データ」）を８ビットにする方式で、データ駆動部に入るデータ（「変換された画像データ」）が、データ補正部から出力される画像データ（「ガンマ補正された画像データ」）の上位８ビット（「最後の２ビットが除去されたもの」）であるか、又は、データ補正部から出力される画像データ（「ガンマ補正された画像データ」）の上位８ビット＋１（「最後の２ビットが除去された後、“１”が加えられたもの」）のいずれかであること
は記載されているものの、
・入力されたｎビットの画像データを、全ての画素位置において、ガンマ補正された画像データの最後の１又は２ビットの一方のみが除去されたものであって、ｎ＋１ビットである変換された画像データに変換すること（以下、「技術事項１」という。）、または、
・入力されたｎビットの画像データを、ガンマ補正の際に、画素の位置に応じて、ｎ＋２ビット又はｎ＋３ビットの画像データに補正し、ｎ＋２ビット又はｎ＋３ビットの、ガンマ補正された画像データをそれぞれ１ビット及び２ビット除去して、ｎ＋１ビットである変換された画像データに変換すること（以下、「技術事項２」という。）
は、記載されていない。
　
　そして、通常、ビット数の多い階調情報をビット数の少ない階調情報で表現するために、複数の階調情報を時間的または空間的に平均化して表現する疑似階調表示方式において、ビット数の多い階調情報を表現するためには、ビット数の少ない階調情報は、少なくとも、互いに異なる２つの階調値を持たなければいけないことは技術常識であるから、ビット数の少ない階調情報として一つの階調値しか持たない技術事項１は、上記技術常識に反するものである。
　また、ガンマ補正を適切に行うために、ビット数を上げてガンマ補正された階調情報を表現するにあたっては、当初明細書に記載されているように、一つのビット数を格納したルックアップテーブルにアクセスして変換することは技術常識であるが、技術事項２のように、画素の位置に応じて、異なるビット数で表現すること、すなわち、画素の位置に応じて、それぞれ格納されたビット数の異なる２つのルックアップテーブルに別々にアクセスして変換することは、上記技術常識から大きく乖離するものである。
　したがって、技術事項１または技術事項２を導入する補正ｂは、本願の優先日当時の技術常識に照らしても、当初明細書のすべての記載を総合することにより導かれる技術事項との関係において新たな技術事項を導入しないものでないといえる。
　
　よって、補正ｂは、当初明細書に本願の特許請求の範囲、明細書又は図面の記載に基づいたものではなく、かつ、本願の優先日当時の技術常識に照らしても、当初明細書のすべての記載を総合することにより導かれる技術事項との関係において新たな技術事項を導入しないものでないといえる。
　
　したがって、この補正は、当初明細書に記載した事項の範囲内においてしたものでなく、特許法第１７条の２第３項の規定に違反するものである。
　
　よって、本件補正は、平成１８年法律第５５号改正附則第３条第１項によりなお従前の例によるとされる同法による改正前の特許法第１７条の２第３項の規定に違反するから、同法第１５９条第１項において読み替えて準用する同法第５３条第１項の規定により却下すべきものである。 
 　 
 [理由２］独立特許要件違反　 
　本件補正の請求項１についてした補正が、仮に、平成１８年法律第５５号改正附則第３条第１項によりなお従前の例によるとされる同法による改正前の特許法第１７条の２第４項第２号に規定する特許請求の範囲の減縮であるとした場合、本件補正後の特許請求の範囲の請求項１に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。
　
（１）本願補正発明 
 　本願補正発明について検討する。
　［理由１］で述べたように、「前記変換された画像データは、画素の位置によって、前記ガンマ補正された画像データの最後の１又は２ビットが除去されたものであり」なる技術事項は、当初明細書に基づいたものではなく、また、かかる技術事項を含む発明は、正常に動作するものでもない。よって、「前記変換された画像データは、画素の位置によって、前記ガンマ補正された画像データの最後の１又は２ビットが除去されたものであり」なる記載は、発明の詳細な説明の記載からみて、「前記変換された画像データは、画素の位置によって、（ａ）前記ガンマ補正された画像データの最後の１又は２ビットが除去されたものであるか、又は（ｂ）前記ガンマ補正された画像データの最後の１又は２ビットが除去された後、“１”が加えられたものであり」を意味するものと認める。
　よって、本願補正発明は、次のとおりのものと認める。
「入力された画像データのガンマ補正を行い、そのガンマ補正された画像データのビット数を調節して、変換された画像データを出力するタイミングコントローラ、
　前記変換された画像データに基づき、データ駆動信号を出力するデータ駆動部、
　前記タイミングコントローラから提供された制御信号に基づき、ゲート駆動信号を出力するゲート駆動部、及び
　前記データ駆動部及び前記ゲート駆動部によって駆動する有機発光表示パネル（ＯＬＥＤ）を含み、
　前記タイミングコントローラは、前記入力された画像データを、設定されたガンマ特性を有するように補正するデータ補正部、および前記ガンマ補正された画像データの所定の下位ビットに基づき、残りの上位ビットデータの発生頻度、および位置を時間的および空間的に調節して、前記残りの上位ビットデータのみで画面が構成されるようにするデータ調節部を含み、
　前記データ調節部は、ＦＲＣ(Frame　Rate　Control)およびディザリング(dithering)部で構成され、
　前記ＦＲＣ及びディザリング部は、前記ガンマ補正された画像データのビット数を１又は２ビット減少し、
　前記入力された画像データはｎビットデータで、前記変換された画像データはｎ'ビットデータ、ここでｎ'＝ｎ＋１であり、
　前記変換された画像データは、画素の位置によって、
（ａ）
であるか、又は（ｂ）前記ガンマ補正された画像データの最後の１又は２ビットが除去された後、“１”が加えられたもの
　前記タイミングコントローラは、前記入力された画像データのガンマ補正を行う際に、ガンマ２．２曲線に合わせて前記入力された画像データのガンマ特性を変換する
ことを特徴とする有機発光表示装置。」（下線は、修正箇所を明示するために、当審において付した。）
　
（２）引用発明
（２−１）引用刊行物の記載事項
　本願の優先日前に頒布された刊行物である特開２００３−２９７２４号公報（以下、「引用刊行物」という。）には、「色補正機能を有する液晶表示装置並びにその駆動装置及び駆動方法」（発明の名称）の発明に関して、以下の事項が記載されている。 
　
＜記載事項１＞
「【０００１】
【発明が属する技術分野】本発明は３原色式のカラー画像表示用液晶表示装置（以下、LCD）並びに駆動装置及び駆動方法に関し、より詳しくはＬＣＤ画像ディスプレイ時に液晶パネルの特性に応じてＲ、Ｇ、Ｂガンマ曲線を変形させて、輝度を表す階調（グレー）別色感が異なって感じられる視認性の問題点及び、色温度が変化する問題点を解決するための適応形色補正（Adaptive Color Correction ;以下、ACC）機能を有する液晶表示装置並びにその駆動装置及び駆動方法に関する。」
　
＜記載事項２＞
「【００４２】（実施例１）図７は本発明の一実施例による色補正機能を有する液晶表示装置を説明するための図面である。
【００４３】図７を参照すると、本発明の一実施例による液晶表示装置は色補正部１１０を内蔵するタイミング制御部１００、データドライバー２００、スキャンドライバー３００及びＬＣＤパネル（液晶パネル）４００を含む。
【００４４】色補正部１１０を内蔵するタイミング制御部１００は外部のグラフィックコントローラー（図示せず）などからＲＧＢ画像信号（原始画像信号）と共に当該ＲＧＢ画像信号のディスプレイのための同期信号（Hsync, Vsync）とクロック信号（DE, MCLK）などの提供を受けて、色補正されたＲＧＢ補正画像信号（Ｒ'、Ｇ'、Ｂ'：各Ｎビット）をデータドライバー２００に出力すると共に、データドライバー２００とスキャンドライバー３００の駆動のためのデジタル信号、つまり、タイミング信号を生成して該当ドライバー２００、３００に出力する。
【００４５】より詳しくは、タイミング制御部１００はデータドライバー２００内のデータシフトのための水平クロック信号（HCLK）と、データ（デジタル化原始画像データ）がデータドライバー２００でアナログに変換され、変換されたアナログ値をＬＣＤパネル４００に印加することを命令する水平同期開始信号（STH）と、データドライバー２００へのデータや信号等のローディングを命令するロード信号（LOADまたはTP）を各々前記データドライバー２００に出力する。
【００４６】また、タイミング制御部１００はゲートラインに印加されるゲートオン信号の周期設定のためのゲートクロック信号（Gate clock）と、前記ゲートオン信号の開始を命令する垂直同期開始信号（STV）と、前記スキャンドライバー３００の出力をイネーブルさせる出力イネーブル信号（OE;Out Enable）を前記スキャンドライバー３００に出力する。
【００４７】一方、前記タイミング制御部１００に内蔵される色補正部１１０は初期起動後、外部からＲ、Ｇ、Ｂそれぞれの原始画像データが入力されることによって前記原始画像データに対応する補正画像データを出力する。
【００４８】より詳しくは、前記色補正部１１０は液晶表示装置の初期起動以降に外部からＲ、Ｇ、Ｂ各々に対する原始画像データが入力されることにより、前記原始画像データに対応する補正画像データを予め設定してあるルックアップテーブルより抽出し、抽出された補正画像データを多階調変換して出力する。この時多階調変換される以前の補正画像データは原始画像データのビット数Ｎと同一になる場合もあり、原始画像データのビット数より多くなる場合もある。また、多階調変換された後の補正画像データは原始画像データのビット数と同一であることが好ましい。」
　
＜記載事項３＞
「【００５２】データドライバー２００はタイミング制御部１００からＲ'、Ｇ'、Ｂ'デジタルデータ（R[0:N-1]、G[0:N-1]、B[0:N-1]）の提供を受けてそれを保存して置き、ＬＣＤパネル４００に供給することを命令するロード信号が印加されると、それぞれのデジタルデータに該当する電圧を選択してＬＣＤパネル４００にデータ電圧（V1, V2, V3, …, Vn）（図示せず）を伝達する。
【００５３】またデータドライバー２００はＬＣＤパネル４００上に配列された画素に印加するデータ電圧の極性が毎フレームごとに互いに相反する反転になるようにデータ電圧（V1, V2, V3, …, Vn）を出力する。この時、毎フレームごとに画素の極性が相反するように反転させることは既に周知の如く、液晶の一般的な特性に起因するためである。
【００５４】スキャンドライバー３００はシフトレジスター、レベルシフター及びバッファーなどを含み、タイミング制御部１００からゲートクロック信号と垂直同期開始信号（STV）の提供を受け、ゲート駆動電圧発生部（図示せず）またはタイミング制御部１００から電圧（Von, Voff及びVcom）（図示せず）の提供を受けて、ＬＣＤパネル４００上の各画素の電圧値を画素に伝達する。
【００５５】ＬＣＤパネル４００はｎ個のデータラインと、前記データラインと交差して配列されたｍ個のゲートラインと、前記データラインと前記ゲートライン間に格子配列された一定の領域に形成され、第１の端子が前記ゲートラインに連結され、第２の端子が前記データラインに連結された画素で構成され、スキャンドライバー３００から提供されるゲート電圧（G1, G2, …, Gm）（図示せず）が当該画素に印加されることによりデータドライバー２００から提供されるデータ電圧（V1, V2, …, Vm）（図示せず）に応答して内蔵された当該画素電極を駆動する。」
　
＜記載事項４＞
「【００５７】図８を参照すると、本発明による色補正部はＲデータ補正部１１２、Ｇデータ補正部１１４、Ｂデータ補正部１１６、第１多階調化部１２２、第２多階調化部１２４、第３多階調化部１２６を含む。
【００５８】動作する時、Ｒ、Ｇ、Ｂデータ補正部１１２、１１４、１１６は外部から入力されるＲ、Ｇ、Ｂそれぞれの８ビット原始画像データを液晶特性に合うように予め決められた９ビットデータに変換した後、第１乃至第３多階調化部１２２、１２４、１２６に各々出力し、第１乃至第３多階調化部１２２、１２４、１２６はＲ、Ｇ、Ｂそれぞれの８ビット補正画像データに変換した後、タイミング制御部１００に提供する。ここで、好ましくは前記多階調化部１２２、１２４、１２６は空間的、そして時間的にディザーリング（Dithering：隣接ピクセルの平均値により中間レベルを表示する）処理とフレームレートコントロール（frame ratecontrol（当審注；「frame rate control」の誤記と認める。;以下、FRC）処理を行う。つまり、空間的・時間的な視覚的平均化作用により、実質的な階調分解能を高める。
【００５９】以下、前記ディザーリング処理方式とＦＲＣ処理方式について簡略に説明する。
【００６０】一般に液晶表示装置では階調（GRAY）レベルを表現するためにＦＲＣという方式が利用される。つまり、ＬＣＤパネルに表現できる画面一フレーム内の一つのピクセルはＸ、Ｙ平面上の点で示すことができる。この時、Ｘは水平ライン番号を示し、Ｙは垂直ライン番号を示すが、フレーム番号を示す時間軸の変数をＺと設定すると、一つの地点でのピクセルの位置に対する座標軸はＸ、Ｙ、Ｚの３次元で表現できる。
【００６１】また、デューティ比率（DUTY RATE）はＸ、Ｙを一定の値に固定させ、その位置で決められたフレームが繰り返される間ピクセルがオンになる回数を前記決められたフレーム回数で割った値（比較）で定義される。例えば、ＬＣＤフレームの（１、１）位置である階調レベルのデューティ比率が１/２であると仮定すれば、（１、１）の位置では２フレーム中の１フレームだけピクセルがオンになるということを示す。従って液晶表示装置で階調レベルを表現するためには、それぞれの階調レベルごとにデューティ比率を設定しておき、設定されたデューティ比率によってピクセルをオン／オフさせる。
【００６２】このような方法によってピクセルをオン／オフさせる方式をＦＲＣ方式という。
【００６３】しかし、このようなＦＲＣ方式だけでＬＣＤを駆動すると、隣接したピクセルが同時にオン／オフされる現象が発生し得る。このように、隣接したピクセルが同時にオン／オフされると視覚的に画面がちらつくフリッカー（flicker）が発生する。
【００６４】このようなフリッカー現象を除去するためにはディザーリング方式が利用される。ディザーリング方式は同時に同じ階調レベルが隣接したピクセルに発生しても、ピクセルの表示位置、つまり、フレーム、垂直ラインまたは水平ラインの位置によって同一でないオン／オフ値を有するように制御する方式をいう。」
　
＜記載事項５＞
「【００６６】図９は本発明の一例としてＢガンマ曲線（Blue gamma curve）を任意の目標ガンマ曲線（Target gamma curve）に変化させる方法の概念を説明する。
【００６７】図９のように、ブルーのガンマ曲線を目標ガンマ曲線に変化しようとする時、例えば１３０階調（８ビット＝０〜２５５での１３０）の輝度を目標ガンマ曲線まで低くするためには次の順序にしたがう。
【００６８】まず、原始画像データ、例えば、１３０階調情報を有するＢデータが入力されることによって１３０階調に該当する目標ガンマ曲線の輝度を探す（１）。
【００６９】次に、目標ガンマ曲線上で見つけられた該当輝度に対応する元来のＢガンマ曲線の対応点を探す（２）。万一Ｂガンマ曲線上で対応点（つまり、輝度）が存在しない場合には所定の内挿（interpolation）過程を通じてＢ階調値を探す。特にこのような内挿過程は入力画像データが低階調で入力される時行われる。
【００７０】次に、該当対応点の階調値を探す（３）。
【００７１】図９について調べると、前記順序で探した値は１２８．５となる。前記１２８．５は従来の８ビットデータでは表現できない値になる。従って階調分解能の拡張が必須である。つまり、８ビットよりさらに多い階調が表現できる９ビットあるいはさらに多いビットの対応値が必要となる。前記９ビットは５１２個の階調が表現できる。もちろん入力される８ビットよりさらに多くのビットに変換する時、色補正効果が十分に行われることは当業者であれば容易に分かる。
【００７２】従って、前記方法で２５６個の各々に該当するＢデータの９ビット情報を探して変更することができる。変更された９ビットに対して液晶表示装置が表現できる方法は空間的ディザーリングと時間的フレームレートコントロール（frame rate control：FRC）方式によって円滑にディスプレイすることができる。
【００７３】前記図９では所定の目標ガンマ曲線を設定してブルー（B）ガンマ曲線を変化させることをその一例として説明したが、グリーン（G）ガンマ曲線を目標ガンマ曲線に設定し、設定されたＧガンマ曲線を基準にＢガンマ曲線を一致（または収斂）させることができる。
【００７４】また、前記方法を利用して８ビットを有するＲのガンマ曲線も目標ガンマ曲線または設定されたＧガンマ曲線に連動して９ビットの対応値を捜し出すことができることは自明である。
【００７５】図１０は本発明によって９ビットのデータを８ビットで表現するディザーリング/ＦＲＣを説明するための図面である。
【００７６】もし９ビットデータの最下位ビットが１である場合、上位８ビットデータと合成してどの位置になるか、また幾番目フレームに該当するかによって上位８ビットの値をそのまま送るか、前記１を足して送れば、ディスプレイ画面ではその差異を感じることが少ない。」
　
＜記載事項６＞
「【００８１】一方、前記で説明した９ビットデータの代わりに１０ビットを使用した場合には、ディザーリング/ＦＲＣが図１３のように適用されれば９ビットと比較して同様な結果が出る。
【００８２】図１３は本発明によって１０ビットデータを８ビットで表現するディザーリング/ＦＲＣ処理を説明するための図面であり、表１は本発明の一例によって８ビットに対する１０ビットの一対一変換関係を示し、これに対応するＦＲＣ実例を示す。
【００８３】
【表１】
【００８４】前記表１に示したように、外部から８ビットの原始画像データを受信してデータ拡張により１０ビットに変換してからメモリ（ルックアップテーブル）に保存し、外部から８ビットの原始画像データを受信する場合に保存された１０ビットの補正画像データを呼び出して出力する。
【００８５】たとえ１０ビットを出力しても、図１３に示したようなＦＲＣ方式によって実質的には８ビットだけでもディスプレイすることが可能である。
【００８６】以上の実施例では８ビットの原始画像データに対応する１０ビットの補正画像データを求めてガンマ曲線を調整したが、８ビットや１０ビットに限定しない。即ち、６ビットの原始画像データに対応する８ビットの補正画像データを求めてガンマ曲線を調整することもできる。」
　
（２−２）引用刊行物に記載された発明
（２−２−１）
　上記記載事項１には、「【０００１】【発明が属する技術分野】本発明は３原色式のカラー画像表示用液晶表示装置（以下、LCD）並びに駆動装置及び駆動方法に関し、・・・」と記載されている。
　この記載によれば、引用刊行物には、「液晶表示装置」の発明が記載されている。
　
（２−２−２）
　上記記載事項２には、「【００４３】図７を参照すると、本発明の一実施例による液晶表示装置は色補正部１１０を内蔵するタイミング制御部１００、データドライバー２００、スキャンドライバー３００及びＬＣＤパネル（液晶パネル）４００を含む。」と記載されている。
　この記載によれば、引用刊行物に記載された「液晶表示装置」は、「色補正部１１０を内蔵するタイミング制御部１００、データドライバー２００、スキャンドライバー３００及びＬＣＤパネル４００」を含んでいる。
　
（２−２−３）
　上記記載事項４には、「【００４４】色補正部１１０を内蔵するタイミング制御部１００は外部のグラフィックコントローラー（図示せず）などからＲＧＢ画像信号（原始画像信号）と共に当該ＲＧＢ画像信号のディスプレイのための同期信号（Hsync, Vsync）とクロック信号（DE, MCLK）などの提供を受けて、色補正されたＲＧＢ補正画像信号（Ｒ'、Ｇ'、Ｂ'：各Ｎビット）をデータドライバー２００に出力すると共に、データドライバー２００とスキャンドライバー３００の駆動のためのデジタル信号、つまり、タイミング信号を生成して該当ドライバー２００、３００に出力する。」と記載され、また、上記記載事項４には、「【００５７】図８を参照すると、本発明による色補正部はＲデータ補正部１１２、Ｇデータ補正部１１４、Ｂデータ補正部１１６、第１多階調化部１２２、第２多階調化部１２４、第３多階調化部１２６を含む。【００５８】動作する時、Ｒ、Ｇ、Ｂデータ補正部１１２、１１４、１１６は外部から入力されるＲ、Ｇ、Ｂそれぞれの８ビット原始画像データを液晶特性に合うように予め決められた９ビットデータに変換した後、第１乃至第３多階調化部１２２、１２４、１２６に各々出力し、第１乃至第３多階調化部１２２、１２４、１２６はＲ、Ｇ、Ｂそれぞれの８ビット補正画像データに変換した後、タイミング制御部１００に提供する。ここで、好ましくは前記多階調化部１２２、１２４、１２６は空間的、そして時間的にディザーリング（Dithering：隣接ピクセルの平均値により中間レベルを表示する）処理とフレームレートコントロール（frame rate control;以下、FRC）処理を行う。つまり、空間的・時間的な視覚的平均化作用により、実質的な階調分解能を高める。」と記載され、また、上記記載事項５には、「【００６６】図９は本発明の一例としてＢガンマ曲線（Blue gamma curve）を任意の目標ガンマ曲線（Target gamma curve）に変化させる方法の概念を説明する。・・・【００７６】もし９ビットデータの最下位ビットが１である場合、上位８ビットデータと合成してどの位置になるか、また幾番目フレームに該当するかによって上位８ビットの値をそのまま送るか、前記１を足して送れば、ディスプレイ画面ではその差異を感じることが少ない。」と記載されている。
　これらの記載によれば、引用刊行物に記載された「液晶表示装置」が含む「タイミング制御部１００」が内蔵する「色補正部１１０」は、「外部から入力されるＲ、Ｇ、Ｂそれぞれの８ビット原始画像データを目標ガンマ曲線に合うように予め決められた９ビットデータに変換するＲ、Ｇ、Ｂデータ補正部１１２、１１４、１１６、及び前記変換された９ビットデータの最下位ビットに基づき、上位８ビットの値をそのまま送るか、“１”を足して送るかを、どの位置になるか、また幾番目フレームに該当するかに応じて切り替えることにより、空間的・時間的な視覚平均化作用により、実質的な階調分解能を高められた、Ｒ、Ｇ、Ｂそれぞれの８ビット補正画像データＲ'、Ｇ'、Ｂ'に変換する第１乃至第３多階調化部１２２、１２４、１２６」を含んでいる。
　また、引用刊行物に記載された「液晶表示装置」が含む「色補正部１１０を内蔵するタイミング制御部１００」は、「外部から入力されるＲ、Ｇ、Ｂそれぞれの８ビット原始画像データを目標ガンマ曲線に合うように予め決められた９ビットデータに変換し、変換された前記９ビットデータのビット数を減らして、Ｒ、Ｇ、Ｂそれぞれの８ビット補正画像データＲ'、Ｇ'、Ｂ'を出力する」ものともいえる。
　
（２−２−４）
　上記記載事項３には、「【００５２】データドライバー２００はタイミング制御部１００からＲ'、Ｇ'、Ｂ'デジタルデータ（R[0:N-1]、G[0:N-1]、B[0:N-1]）の提供を受けてそれを保存して置き、ＬＣＤパネル４００に供給することを命令するロード信号が印加されると、それぞれのデジタルデータに該当する電圧を選択してＬＣＤパネル４００にデータ電圧（V1, V2, V3, …, Vn）（図示せず）を伝達する。」と記載されている。
　この記載によれば、引用刊行物に記載された「液晶表示装置」が含む「データドライバー２００」は、「８ビット補正画像データＲ'、Ｇ'、Ｂ'の提供を受けて、それぞれのデジタルデータに該当する電圧を選択してデータ電圧を伝達する」ものである。
　
（２−２−５）
　上記記載事項３には、「【００５４】スキャンドライバー３００はシフトレジスター、レベルシフター及びバッファーなどを含み、タイミング制御部１００からゲートクロック信号と垂直同期開始信号（STV）の提供を受け、ゲート駆動電圧発生部（図示せず）またはタイミング制御部１００から電圧（Von, Voff及びVcom）（図示せず）の提供を受けて、ＬＣＤパネル４００上の各画素の電圧値を画素に伝達する。【００５５】ＬＣＤパネル４００はｎ個のデータラインと、前記データラインと交差して配列されたｍ個のゲートラインと、前記データラインと前記ゲートライン間に格子配列された一定の領域に形成され、第１の端子が前記ゲートラインに連結され、第２の端子が前記データラインに連結された画素で構成され、スキャンドライバー３００から提供されるゲート電圧（G1, G2, …, Gm）（図示せず）が当該画素に印加されることによりデータドライバー２００から提供されるデータ電圧（V1, V2, …, Vm）（図示せず）に応答して内蔵された当該画素電極を駆動する。」と記載されている。
　この記載によれば、引用刊行物に記載された「液晶表示装置」が含む「スキャンドライバー３００」は、「前記タイミング制御部１００からゲートクロック信号と垂直同期開始信号の提供を受け、ゲート電圧を提供する」ものである。
　また、この記載によれば、引用刊行物に記載された「液晶表示装置」が含む「ＬＣＤパネル４００」は、「前記データドライバー２００から提供される前記データ電圧と、前記スキャンドライバー３００から提供される前記ゲート電圧に応答して駆動される」ものである。
　
（２−２−６）
　上記記載事項４には、「【００５８】動作する時、Ｒ、Ｇ、Ｂデータ補正部１１２、１１４、１１６は外部から入力されるＲ、Ｇ、Ｂそれぞれの８ビット原始画像データを液晶特性に合うように予め決められた９ビットデータに変換した後、第１乃至第３多階調化部１２２、１２４、１２６に各々出力し、第１乃至第３多階調化部１２２、１２４、１２６はＲ、Ｇ、Ｂそれぞれの８ビット補正画像データに変換した後、タイミング制御部１００に提供する。ここで、好ましくは前記多階調化部１２２、１２４、１２６は空間的、そして時間的にディザーリング（Dithering：隣接ピクセルの平均値により中間レベルを表示する）処理とフレームレートコントロール（frame rate control;以下、FRC）処理を行う。つまり、空間的・時間的な視覚的平均化作用により、実質的な階調分解能を高める。」と記載され、また、上記記載事項５には、「【００６６】図９は本発明の一例としてＢガンマ曲線（Blue gamma curve）を任意の目標ガンマ曲線（Target gamma curve）に変化させる方法の概念を説明する。・・・【００７６】もし９ビットデータの最下位ビットが１である場合、上位８ビットデータと合成してどの位置になるか、また幾番目フレームに該当するかによって上位８ビットの値をそのまま送るか、前記１を足して送れば、ディスプレイ画面ではその差異を感じることが少ない。」と記載されている。
　これらの記載によれば、引用刊行物に記載された「液晶表示装置」が含む「タイミング制御部１００」が内蔵する「色補正部１１０」が含む「第１乃至第３多階調化部１２２、１２４、１２６」は、「FRC処理とディザーリング処理を行うものであり、前記FRC処理とディザーリング処理は、前記変換された９ビットデータを１ビット減らして、８ビット補正画像データＲ'、Ｇ'、Ｂ'にする」ものである。
　また、これらの記載によれば、引用刊行物に記載された「液晶表示装置」において、「前記外部から入力される原始画像データは８ビットであり、前記補正画像データＲ'、Ｇ'、Ｂ'は８ビットであり」、「前記８ビット補正画像データＲ'、Ｇ'、Ｂ'は、どの位置になるかに応じて、前記変換された９ビットデータの上位８ビットそのままであるか、又は、前記変換された９ビットデータの上位８ビットに“１”が加えられたもの」である。
　また、これらの記載によれば、引用刊行物に記載された「液晶表示装置」が含む「タイミング制御部１００」が内蔵する「色補正部１１０」が含む「Ｒ、Ｇ、Ｂデータ補正部１１２、１１４、１１６」は、「前記外部から入力されるＲ、Ｇ、Ｂそれぞれの８ビット原始画像データを前記９ビットデータに変換する際に、任意の目標ガンマ曲線に合わせて変換する」ものである。
　
（２−２−７）
　（２−２−１）〜（２−２−６）によれば、引用刊行物には、以下の発明が記載されている。
「色補正部１１０を内蔵するタイミング制御部１００、データドライバー２００、スキャンドライバー３００及びＬＣＤパネル４００を含む液晶表示装置であって、
　前記タイミング制御部１００は、外部から入力されるＲ、Ｇ、Ｂそれぞれの８ビット原始画像データを目標ガンマ曲線に合うように予め決められた９ビットデータに変換し、変換された前記９ビットデータのビット数を減らして、Ｒ、Ｇ、Ｂそれぞれの８ビット補正画像データＲ'、Ｇ'、Ｂ'を出力し、
　前記データドライバー２００は、前記８ビット補正画像データＲ'、Ｇ'、Ｂ'の提供を受けて、それぞれのデジタルデータに該当する電圧を選択してデータ電圧を伝達し、
　前記スキャンドライバー３００は、前記タイミング制御部１００からゲートクロック信号と垂直同期開始信号の提供を受け、ゲート電圧を提供し、
　前記ＬＣＤパネル４００は、前記データドライバー２００から提供される前記データ電圧と、前記スキャンドライバー３００から提供される前記ゲート電圧に応答して駆動され、
　前記タイミング制御部１００が内蔵する前記色補正部１１０は、前記外部から入力されるＲ、Ｇ、Ｂそれぞれの８ビット原始画像データを目標ガンマ曲線に合うように予め決められた前記９ビットデータに変換するＲ、Ｇ、Ｂデータ補正部１１２、１１４、１１６、及び前記変換された９ビットデータの最下位ビットに基づき、上位８ビットの値をそのまま送るか、“１”を足して送るかを、どの位置になるか、また幾番目フレームに該当するかに応じて切り替えることにより、空間的・時間的な視覚平均化作用により、実質的な階調分解能を高められた、Ｒ、Ｇ、Ｂそれぞれの８ビット補正画像データＲ'、Ｇ'、Ｂ'に変換する第１乃至第３多階調化部１２２、１２４、１２６を含み、
　前記第１乃至第３多階調化部１２２、１２４、１２６は、FRC処理とディザーリング処理を行うものであり、
　前記FRC処理とディザーリング処理は、前記変換された９ビットデータを１ビット減らして、前記８ビット補正画像データＲ'、Ｇ'、Ｂ'にするものであり、
　前記外部から入力される原始画像データは８ビットであり、前記補正画像データＲ'、Ｇ'、Ｂ'は８ビットであり、
　前記８ビット補正画像データＲ'、Ｇ'、Ｂ'は、どの位置になるかに応じて、前記変換された９ビットデータの上位８ビットそのままであるか、又は、前記変換された９ビットデータの上位８ビットに“１”が加えられたものであり、
　前記タイミング制御部１００が内蔵する前記色補正部１１０が含む前記Ｒ、Ｇ、Ｂデータ補正部１１２、１１４、１１６は、前記外部から入力されるＲ、Ｇ、Ｂそれぞれの８ビット原始画像データを前記９ビットデータに変換する際に、任意の目標ガンマ曲線に合わせて変換する
　液晶表示装置。」（以下、「引用発明」という。）
　
（３）対比 
　本願補正発明と引用発明とを比較する。 
　
（３−１）
　本願補正発明の「有機発光表示装置」と、引用発明の「液晶表示装置」とは、共に、「平面型表示装置」である点で共通する。
　
（３−２）
　引用発明の「外部から入力されるＲ、Ｇ、Ｂそれぞれの８ビット原始画像データを目標ガンマ曲線に合うように予め決められた９ビットデータに変換し、変換された前記９ビットデータのビット数を減らして、Ｒ、Ｇ、Ｂそれぞれの８ビット補正画像データＲ'、Ｇ'、Ｂ'を出力」する「タイミング制御部１００」と、本願補正発明の「入力された画像データのガンマ補正を行い、そのガンマ補正された画像データのビット数を調節して、変換された画像データを出力するタイミングコントローラ」とを比較する。
　
　引用発明の「外部から入力されるＲ、Ｇ、Ｂそれぞれの８ビット原始画像データ」は、本願補正発明の「入力された画像データ」に相当し、以下同様に、「目標ガンマ曲線に合うように」「変換」することは「ガンマ補正」することに、「９ビットデータ」は「ガンマ補正された画像データ」に、「ビット数を減ら」すことは「ビット数を調節」することに、「８ビット補正画像データＲ'、Ｇ'、Ｂ'」は「変換された画像データ」に相当する。
　
　よって、引用発明の「外部から入力されるＲ、Ｇ、Ｂそれぞれの８ビット原始画像データを目標ガンマ曲線に合うように予め決められた９ビットデータに変換し、変換された前記９ビットデータのビット数を減らして、Ｒ、Ｇ、Ｂそれぞれの８ビット補正画像データＲ'、Ｇ'、Ｂ'を出力」する「タイミング制御部１００」は、本願補正発明の「入力された画像データのガンマ補正を行い、そのガンマ補正された画像データのビット数を調節して、変換された画像データを出力するタイミングコントローラ」に相当する。
　
（３−３）
　引用発明の「前記８ビット補正画像データＲ'、Ｇ'、Ｂ'の提供を受けて、それぞれのデジタルデータに該当する電圧を選択してデータ電圧を伝達」する「データドライバー２００」と、本願補正発明の「前記変換された画像データに基づき、データ駆動信号を出力するデータ駆動部」とを比較する。
　
　上記（３−２）によれば、引用発明の「８ビット補正画像データＲ'、Ｇ'、Ｂ'」は、本願補正発明の「変換された画像データ」に相当する。　
　また、引用発明の「データ電圧」は、本願補正発明の「データ駆動信号」に相当し、引用発明の「・・・の提供を受けて、それぞれのデジタルデータに該当する電圧を選択してデータ電圧を伝達する」ことは、本願補正発明の「・・・に基づき、データ駆動信号を出力する」ことに相当する。
　
　よって、引用発明の「前記８ビット補正画像データＲ'、Ｇ'、Ｂ'の提供を受けて、それぞれのデジタルデータに該当する電圧を選択してデータ電圧を伝達」する「データドライバー２００」は、本願補正発明の「前記変換された画像データに基づき、データ駆動信号を出力するデータ駆動部」に相当する。
　
（３−４）
　引用発明の「前記タイミング制御部１００からゲートクロック信号と垂直同期開始信号の提供を受け、ゲート電圧を提供」する「スキャンドライバー３００」と、本願補正発明の「前記タイミングコントローラから提供された制御信号に基づき、ゲート駆動信号を出力するゲート駆動部」とを比較する。
　
　上記（３−２）によれば、引用発明の「タイミング制御部１００」は、本願補正発明の「タイミングコントローラ」に相当する。
　また、引用発明の「前記タイミング制御部１００から」の「ゲートクロック信号と垂直同期開始信号」は、本願補正発明の「前記タイミングコントローラから提供された制御信号」に相当し、引用発明の「ゲート電圧」信号は、本願補正発明の「ゲート駆動信号」に相当する。
　
　よって、引用発明の「前記タイミング制御部１００からゲートクロック信号と垂直同期開始信号の提供を受け、ゲート電圧を提供」する「スキャンドライバー３００」は、本願補正発明の「前記タイミングコントローラから提供された制御信号に基づき、ゲート駆動信号を出力するゲート駆動部」に相当する。
　
（３−５）
　引用発明の「前記データドライバー２００から提供される前記データ電圧と、前記スキャンドライバー３００から提供される前記ゲート電圧に応答して駆動され」る「ＬＣＤパネル４００」と、本願補正発明の「前記データ駆動部及び前記ゲート駆動部によって駆動する有機発光表示パネル（ＯＬＥＤ）」とを比較する。
　
　上記（３−３）によれば、引用発明の「データドライバー２００」は、本願補正発明の「データ駆動部」に相当し、上記（３−４）によれば、引用発明の「スキャンドライバー３００」は、本願補正発明の「ゲート駆動部」に相当する。
　
　よって、引用発明の「前記データドライバー２００から提供される前記データ電圧と、前記スキャンドライバー３００から提供される前記ゲート電圧に応答して駆動され」る「ＬＣＤパネル４００」と、本願補正発明の「前記データ駆動部及び前記ゲート駆動部によって駆動する有機発光表示パネル（ＯＬＥＤ）」とは、共に、「前記データ駆動部及び前記ゲート駆動部によって駆動する表示パネル」である点で共通する。
　
（３−６）
　引用発明の「前記タイミング制御部１００が内蔵する前記色補正部１１０は、前記外部から入力されるＲ、Ｇ、Ｂそれぞれの８ビット原始画像データを目標ガンマ曲線に合うように予め決められた前記９ビットデータに変換するＲ、Ｇ、Ｂデータ補正部１１２、１１４、１１６、及び前記変換された９ビットデータの最下位ビットに基づき、上位８ビットの値をそのまま送るか、“１”を足して送るかを、どの位置になるか、また幾番目フレームに該当するかに応じて切り替えることにより、空間的・時間的な視覚平均化作用により、実質的な階調分解能を高められた、Ｒ、Ｇ、Ｂそれぞれの８ビット補正画像データＲ'、Ｇ'、Ｂ'に変換する第１乃至第３多階調化部１２２、１２４、１２６を含み」と、本願補正発明の「前記タイミングコントローラは、前記入力された画像データを、設定されたガンマ特性を有するように補正するデータ補正部、および前記ガンマ補正された画像データの所定の下位ビットに基づき、残りの上位ビットデータの発生頻度、および位置を時間的および空間的に調節して、前記残りの上位ビットデータのみで画面が構成されるようにするデータ調節部を含み」とを比較する。
　
　ア．
　上記（３−２）によれば、引用発明の「外部から入力されるＲ、Ｇ、Ｂそれぞれの８ビット原始画像データ」は、本願補正発明の「入力された画像データ」に相当し、引用発明の「９ビットデータ」は、本願補正発明の「ガンマ補正された画像データ」に相当する。
　また、引用発明の「目標ガンマ曲線に合うように予め決められた・・・に変換する」ことは、本願補正発明の「設定されたガンマ特性を有するように補正」して・・・にすることに相当する。
　
　よって、引用発明の「前記タイミング制御部１００が内蔵する前記色補正部１１０」に含まれる「前記外部から入力されるＲ、Ｇ、Ｂそれぞれの８ビット原始画像データを目標ガンマ曲線に合うように予め決められた前記９ビットデータに変換するＲ、Ｇ、Ｂデータ補正部１１２、１１４、１１６」は、本願補正発明の「前記タイミングコントローラ」に含まれる「前記入力された画像データを、設定されたガンマ特性を有するように補正」して「ガンマ補正された画像データ」にする「データ補正部」に相当する。
　
　イ．
　また、上記（３−２）によれば、引用発明の「８ビット補正画像データＲ'、Ｇ'、Ｂ'」は、本願補正発明の「変換された画像データ」に相当する。
　そして、引用発明の「変換された９ビットデータの最下位ビット」は、本願補正発明の「ガンマ補正された画像データの所定の下位ビット」に相当し、以下同様に、「変換された９ビットデータ」の「上位８ビット」は「ガンマ補正された画像データ」の「残りの上位ビットデータ」に、「変換された９ビットデータ」の「上位８ビットの値をそのまま送るか、“１”を足して送るかを、どの位置になるか、また幾番目フレームに該当するかに応じて切り替える」ことは「ガンマ補正された画像データ」の「残りの上位ビットデータの発生頻度、および位置を時間的および空間的に調節して、前記残りの上位ビットデータのみで画面が構成されるようにする」ことに相当する。
　
　よって、引用発明の「前記タイミング制御部１００が内蔵する前記色補正部１１０」に含まれる「前記変換された９ビットデータの最下位ビットに基づき、上位８ビットの値をそのまま送るか、“１”を足して送るかを、どの位置になるか、また幾番目フレームに該当するかに応じて切り替えることにより、空間的・時間的な視覚平均化作用により、実質的な階調分解能を高められた、Ｒ、Ｇ、Ｂそれぞれの８ビット補正画像データＲ'、Ｇ'、Ｂ'に変換する第１乃至第３多階調化部１２２、１２４、１２６」は、本願補正発明の「前記タイミングコントローラ」に含まれる「前記ガンマ補正された画像データの所定の下位ビットに基づき、残りの上位ビットデータの発生頻度、および位置を時間的および空間的に調節して、前記残りの上位ビットデータのみで画面が構成されるようにするデータ調節部」に相当する。
　
　ウ．
　したがって、上記ア．及びイ．によれば、引用発明の「前記タイミング制御部１００が内蔵する前記色補正部１１０は、前記外部から入力されるＲ、Ｇ、Ｂそれぞれの８ビット原始画像データを目標ガンマ曲線に合うように予め決められた前記９ビットデータに変換するＲ、Ｇ、Ｂデータ補正部１１２、１１４、１１６、及び前記変換された９ビットデータの最下位ビットに基づき、上位８ビットの値をそのまま送るか、“１”を足して送るかを、どの位置になるか、また幾番目フレームに該当するかに応じて切り替えることにより、空間的・時間的な視覚平均化作用により、実質的な階調分解能を高められた、Ｒ、Ｇ、Ｂそれぞれの８ビット補正画像データＲ'、Ｇ'、Ｂ'に変換する第１乃至第３多階調化部１２２、１２４、１２６を含み」は、本願補正発明の「前記タイミングコントローラは、前記入力された画像データを、設定されたガンマ特性を有するように補正するデータ補正部、および前記ガンマ補正された画像データの所定の下位ビットに基づき、残りの上位ビットデータの発生頻度、および位置を時間的および空間的に調節して、前記残りの上位ビットデータのみで画面が構成されるようにするデータ調節部を含み」に相当する。
　
（３−７）
　引用発明の「前記第１乃至第３多階調化部１２２、１２４、１２６は、FRC処理とディザーリング処理を行うものであり、前記FRC処理とディザーリング処理は、前記変換された９ビットデータを１ビット減らして、前記８ビット補正画像データＲ'、Ｇ'、Ｂ'にするものであり、」と、本願補正発明の「前記データ調節部は、ＦＲＣ(Frame　Rate　Control)およびディザリング(dithering)部で構成され、前記ＦＲＣ及びディザリング部は、前記ガンマ補正された画像データのビット数を１又は２ビット減少し」とを比較する。
　
　上記（３−６）によれば、引用発明の「第１乃至第３多階調化部１２２、１２４、１２６」は、本願補正発明の「データ調節部」に相当する。
　また、引用発明の「FRC処理とディザーリング処理を行う」部分は、本願補正発明の「ＦＲＣ(Frame　Rate　Control)およびディザリング(dithering)部」に相当する。
　よって、引用発明の「前記第１乃至第３多階調化部１２２、１２４、１２６は、FRC処理とディザーリング処理を行うもの」であることは、本願補正発明の「前記データ調節部は、ＦＲＣ(Frame　Rate　Control)およびディザリング(dithering)部で構成され」ることに相当する。
　
　そして、上記（３−２）によれば、引用発明の「変換された９ビットデータ」は、本願補正発明の「ガンマ補正された画像データ」に相当し、引用発明の「８ビット補正画像データＲ'、Ｇ'、Ｂ'」は、本願補正発明の「変換された画像データ」に相当する。
　よって、引用発明の「前記FRC処理とディザーリング処理は、前記変換された９ビットデータを１ビット減らして、前記８ビット補正画像データＲ'、Ｇ'、Ｂ'にする」ことは、本願補正発明の「前記ＦＲＣ及びディザリング部は、前記ガンマ補正された画像データのビット数を１又は２ビット減少」することに相当する。
　
　したがって、引用発明の「前記第１乃至第３多階調化部１２２、１２４、１２６は、FRC処理とディザーリング処理を行うものであり、前記FRC処理とディザーリング処理は、前記変換された９ビットデータを１ビット減らして、前記８ビット補正画像データＲ'、Ｇ'、Ｂ'にするものであり、」は、本願補正発明の「前記データ調節部は、ＦＲＣ(Frame　Rate　Control)およびディザリング(dithering)部で構成され、前記ＦＲＣ及びディザリング部は、前記ガンマ補正された画像データのビット数を１又は２ビット減少し」に相当する。
　
（３−８）
　引用発明の「前記８ビット補正画像データＲ'、Ｇ'、Ｂ'は、どの位置になるかに応じて、前記変換された９ビットデータの上位８ビットそのままであるか、又は、前記変換された９ビットデータの上位８ビットに“１”が加えられたものであり」と、本願補正発明の「前記変換された画像データは、画素の位置によって、（ａ）前記ガンマ補正された画像データの最後の１又は２ビットが除去されたものであるか、又は（ｂ）前記ガンマ補正された画像データの最後の１又は２ビットが除去された後、“１”が加えられたものであり」とを比較する。
　
　上記（３−２）によれば、引用発明の「８ビット補正画像データＲ'、Ｇ'、Ｂ'」は、本願補正発明の「変換された画像データ」に相当する。
　そして、引用発明の「変換された９ビットデータの上位８ビット」は、本願補正発明の「前記ガンマ補正された画像データの最後の１又は２ビットが除去されたもの」に相当し、引用発明の「前記変換された９ビットデータの上位８ビットに“１”が加えられたもの」は、本願補正発明の「前記ガンマ補正された画像データの最後の１又は２ビットが除去された後、“１”が加えられたもの」に相当する。
　
　よって、引用発明の「前記８ビット補正画像データＲ'、Ｇ'、Ｂ'は、どの位置になるかに応じて、前記変換された９ビットデータの上位８ビットそのままであるか、又は、前記変換された９ビットデータの上位８ビットに“１”が加えられたものであり」は、本願補正発明の「前記変換された画像データは、画素の位置によって、（ａ）前記ガンマ補正された画像データの最後の１又は２ビットが除去されたものであるか、又は（ｂ）前記ガンマ補正された画像データの最後の１又は２ビットが除去された後、“１”が加えられたものであり」に相当する。
　
（３−９）
　引用発明の「前記タイミング制御部１００が内蔵する前記色補正部１１０が含む前記Ｒ、Ｇ、Ｂデータ補正部１１２、１１４、１１６は、前記外部から入力されるＲ、Ｇ、Ｂそれぞれの８ビット原始画像データを前記９ビットデータに変換する際に、任意の目標ガンマ曲線に合わせて変換する」と、本願補正発明の「前記タイミングコントローラは、前記入力された画像データのガンマ補正を行う際に、ガンマ２．２曲線に合わせて前記入力された画像データのガンマ特性を変換する」とは、共に、「前記タイミングコントローラは、前記入力された画像データのガンマ補正を行う際に、目標ガンマ曲線に合わせて前記入力された画像データのガンマ特性を変換する」点で共通する。
　
（３−１０）
　したがって、本願補正発明と引用発明の両者は、
「入力された画像データのガンマ補正を行い、そのガンマ補正された画像データのビット数を調節して、変換された画像データを出力するタイミングコントローラ、
　前記変換された画像データに基づき、データ駆動信号を出力するデータ駆動部、
　前記タイミングコントローラから提供された制御信号に基づき、ゲート駆動信号を出力するゲート駆動部、及び
　前記データ駆動部及び前記ゲート駆動部によって駆動する表示パネルを含み、
　前記タイミングコントローラは、前記入力された画像データを、設定されたガンマ特性を有するように補正するデータ補正部、および前記ガンマ補正された画像データの所定の下位ビットに基づき、残りの上位ビットデータの発生頻度、および位置を時間的および空間的に調節して、前記残りの上位ビットデータのみで画面が構成されるようにするデータ調節部を含み、
　前記データ調節部は、ＦＲＣ(Frame　Rate　Control)およびディザリング(dithering)部で構成され、
　前記ＦＲＣ及びディザリング部は、前記ガンマ補正された画像データのビット数を１ビット減少し、
　前記変換された画像データは、画素の位置によって、（ａ）前記ガンマ補正された画像データの最後の１又は２ビットが除去されたものであるか、又は（ｂ）前記ガンマ補正された画像データの最後の１又は２ビットが除去された後、“１”が加えられたものであり、
　前記タイミングコントローラは、前記入力された画像データのガンマ補正を行う際に、目標ガンマ曲線に合わせて前記入力された画像データのガンマ特性を変換する
ことを特徴とする平面型表示装置。」の点で一致し、以下の点で相違する。
　
［相違点１］
　平面型表示装置に関し、本願補正発明は「有機発光表示装置」であるのに対し、引用発明では「液晶表示装置」である点。また、これに派生して、表示パネルに関し、本願補正発明では「有機発光表示パネル（ＯＬＥＤ）」であるのに対し、引用発明では「ＬＣＤパネル４００」である点。
　
［相違点２］
　入力された画像データと変換された画像データのビット数に関し、本願補正発明では「前記入力された画像データはｎビットデータで、前記変換された画像データはｎ'ビットデータ、ここでｎ'＝ｎ＋１であり」とあるように、入力された画像データのビット数よりも変換された画像データのビット数が１大きいのに対し、引用発明では「前記外部から入力される原始画像データは８ビットであり、前記補正画像データＲ'、Ｇ'、Ｂ'は８ビットであり」とあるように、両者のビット数が等しい点。
　
［相違点３］
　目標ガンマ曲線に関し、本願補正発明では「ガンマ２．２曲線」であるのに対し、引用発明では「任意の目標ガンマ曲線」にとどまり、そのような発明特定事項が限定されていない点。
　
（４）当審の判断
　上記相違点について検討する。
　
　まず、相違点１について検討する。
　「平面型表示装置の駆動制御」の技術分野において、液晶表示装置の駆動回路に関する技術を、有機発光表示装置の駆動回路に転用することは、引例を挙げるまでもない周知・慣用の技術（以下、「周知・慣用の技術１」という。）である。
　よって、引用発明において、平面型表示装置が液晶表示装置であるところ、周知・慣用の技術１を適用して、有機発光表示装置を採用することは、当業者が容易になし得たことである。ここで、引用発明において、表示パネルはＬＣＤパネル４００であるところ、かかる表示パネルは、当然に、有機発光表示パネルとなる。
　したがって、上記相違点１に係る本願補正発明の発明特定事項は、当業者が引用発明及び周知・慣用の技術１に基づいて容易に想到し得たことである。
　
　次に、相違点２について検討する。
　引用刊行物の上記記載事項２には、「【００４８】より詳しくは、前記色補正部１１０は液晶表示装置の初期起動以降に外部からＲ、Ｇ、Ｂ各々に対する原始画像データが入力されることにより、前記原始画像データに対応する補正画像データを予め設定してあるルックアップテーブルより抽出し、抽出された補正画像データを多階調変換して出力する。この時多階調変換される以前の補正画像データは原始画像データのビット数Ｎと同一になる場合もあり、原始画像データのビット数より多くなる場合もある。また、多階調変換された後の補正画像データは原始画像データのビット数と同一であることが好ましい。」と記載されている。
　すなわち、引用刊行物には、原始画像データ（本願補正発明の「入力された画像データ」に相当する。以下同様。）と、多階調変換された後の補正画像データ（「変換された画像データ」）のビット数は同一であることが好ましいが、同一であることに限定されないことが示唆されている。
　よって、引用発明において、外部から入力される原始画像データ（「入力された画像データ」）と、補正画像データＲ'、Ｇ'、Ｂ'（「変換された画像データ」）のビット数の関係として、同一でない関係として、補正画像データＲ'、Ｇ'、Ｂ'（「変換された画像データ」）のビット数（ｎ’）が外部から入力される原始画像データ（「入力された画像データ」）のビット数（ｎ）よりも１大きい関係（「ｎ'＝ｎ＋１」）とすることは、当業者が適宜なし得た設計的事項に過ぎない。
　したがって、上記相違点２に係る本願補正発明の発明特定事項は、当業者が引用発明に基づいて容易に想到し得たことである。
　
　次に、相違点３について検討する。
　「平面型表示装置の駆動制御」の技術分野において、入力された画像データのガンマ補正を行う際の目標ガンマ曲線として、ガンマ２．２曲線を採用することは、例えば、拒絶査定において提示された特開２００３−１０８０７２号公報の段落【０００７】、【０００８】に、従来の技術として記載されているように、周知・慣用の技術（以下、「周知・慣用の技術２」という。）である。
　
　よって、引用発明において、任意の目標ガンマ曲線とあるところ、周知・慣用の技術２を適用して、目標ガンマ曲線としてガンマ２．２曲線を採用することは、当業者が容易になし得たことである。
　したがって、上記相違点３に係る本願補正発明の発明特定事項は、当業者が引用発明及び周知・慣用の技術２に基づいて容易に想到し得たことである。
　
　そして、本願補正発明によってもたらされる「データ駆動部（ドライブＩＣ）の面積と消費電力を減らすことができる」（本願明細書の段落【００３８】、【００６７】参照。）との効果について検討する。
　引用発明は、疑似階調表示技術の一種であるＦＲＣ処理とディザーリング処理を行うことによって、変換された９ビットデータ（「ガンマ補正された画像データ」）のビット数よりも、データドライバー２００へ入力される補正画像データＲ'、Ｇ'、Ｂ'のビット数を少ないものとしたものである。
　そして、「平面型表示装置の駆動制御」の技術分野において、疑似階調表示技術を使用して、データ側駆動回路の入力データのビット数を削減することが、データ側駆動回路の小面積化、低消費電力化につながることはそれぞれ、特開２００２−１５６９５３号公報の、特に、段落【００２３】に「周辺デコーダ回路のビット数を削減でき、回路の実装面積が小さくなる。」と記載されているように、及び、特開２００３−３１６３３４号公報の、特に、段落【０００２】に「入力される階調データにディザリングによる減色処理を施し、階調データが本来持つ色数（以下、実色数とも呼ぶ）より少ない色数で実色数を擬似的に表現する。これにより、実色数をそのまま表示する場合と比べ、低消費電力を図ることができる。」と記載されているように、いずれも周知の事項である。
　したがって、本願補正発明の上記効果は、引用発明自体が備えている構成により当業者が予測し得る効果に過ぎない。
　以上のとおりであるから、本願補正発明の効果は、引用発明及び周知・慣用の技術１、２から想定することができない格別のものと認めることもできない。
　
　したがって、本願補正発明は、引用発明及び周知・慣用の技術１、２に基づいて当業者が容易に発明をすることができたものである。 
　
　よって、本願補正発明は、特許法第２９条第２項の規定により、特許出願の際独立して特許を受けることができない。 
　
　また、平成２３年５月１６日付け回答書の「３．」欄に記載された補正案について、予備的に検討する。
　補正案に記載された発明の「前記入力された画像データは６ビットを有し、前記ガンマ補正された画像データは８ビットを有し」なる点は、引用刊行物の段落【００８６】に「６ビットの原始画像データに対応する８ビットの補正画像データを求めてガンマ曲線を調整することもできる。」と記載されている。
　補正案に記載された発明の「前記タイミングコントローラは、ルックアップテーブルから前記入力された画像データに対応するＲＧＢデータを検出することにより前記入力された画像データのガンマ特性を変換し」なる点は、引用刊行物の段落【００４８】に「前記色補正部１１０は液晶表示装置の初期起動以降に外部からＲ、Ｇ、Ｂ各々に対する原始画像データが入力されることにより、前記原始画像データに対応する補正画像データを予め設定してあるルックアップテーブルより抽出し、抽出された補正画像データを多階調変換して出力する。」と記載されている。
　補正案に記載された発明の「前記ルックアップデータは、前記画像データの各グレイレベルにより前記変換された特性を有する前記ＲＧＢ画像データをマッピングする方法により形成され」なる点は、引用刊行物の段落【００６８】〜【００７０】に記載されている。
　補正案の記載された発明の「ガンマ補正された画像データ」を「上位７ビットのデータと下位１ビットのデータへ分割」することは、引用刊行物の段落【００７５】〜【００７６】、図１０に９ビットのデータを上位８ビットと最下位１ビットに分割することが記載されているから、上記段落【００８６】の「６ビットの原始画像データに対応する８ビットの補正画像データを求めてガンマ曲線を調整することもできる。」なる記載を考慮すれば、当業者が当然に想到し得る事項に過ぎない。
　よって、補正案に記載された発明も、依然として、引用発明及び周知・慣用の技術１、２に基づいて当業者が容易に発明をすることができたものである。
　
（５）まとめ 
　以上のとおり、本件補正の請求項１についてした補正が、仮に、平成１８年改正前特許法第１７条の２第４項第２号に規定する特許請求の範囲の減縮であるとした場合であっても、本件補正は、平成１８年法律第５５号改正附則第３条第１項によりなお従前の例によるとされる同法による改正前の特許法第１７条の２第５項において準用する特許法第１２６条第５項の規定に違反するから、特許法第１５９条第１項で読み替えて準用する特許法第５３条第１項の規定により却下すべきものである。 
　
３　本願発明について  
 　 
 　本件補正は上記のとおり却下されたので、本願の請求項１に係る発明は、平成２１年３月２日付けの手続補正により補正された特許請求の範囲、明細書及び図面の記載からみて、次のとおりのものと認める。 
 「入力された画像データのガンマ補正を行い、そのガンマ補正された画像データのビット数を調節して、変換された画像データを出力するタイミングコントローラ、
　前記変換された画像データに基づき、データ駆動信号を出力するデータ駆動部、
　前記タイミングコントローラから提供された制御信号に基づき、ゲート駆動信号を出力するゲート駆動部、及び
　前記データ駆動部及び前記ゲート駆動部によって駆動する有機発光表示パネル（ＯＬＥＤ）を含み、
　前記タイミングコントローラは、前記入力された画像データを、設定されたガンマ特性を有するように補正するデータ補正部、および前記ガンマ補正された画像データの所定の下位ビットに基づき、残りの上位ビットデータの発生頻度、および位置を時間的および空間的に調節して、前記残りの上位ビットデータのみで画面が構成されるようにするデータ調節部を含み、
　前記データ調節部は、ＦＲＣ(Frame　Rate　Control)およびディザリング(dithering)部で構成され、
　前記ＦＲＣ及びディザリング部は、前記ガンマ補正された画像データのビット数を１又は２ビット減少し、
　前記入力された画像データはｎビットデータで、前記変換された画像データはｎ'ビットデータ、ここでｎ'＝ｎ又はｎ＋１であり、
　前記変換された画像データは、画素の位置によって、（ａ）前記ガンマ補正された画像データの最後の１又は２ビットが除去されたものであるか、又は（ｂ）前記ガンマ補正された画像データの最後の１又は２ビットが除去された後、“１”が加えられたものであり、
　前記タイミングコントローラは、前記入力された画像データのガンマ補正を行う際に、ガンマ２．２曲線に合わせて前記入力された画像データのガンマ特性を変換する
ことを特徴とする有機発光表示装置。」（以下、「本願発明」という。） 
 　 
 ４　引用刊行物  
 　 
 　引用刊行物に記載された引用発明は、前記「２　（２−２−５）」に記載されたとおりである。  
 　 
 ５　対比・判断 
 　 
 　本願発明は、前記「２」で検討した本願補正発明から、入力された画像データ（ｎビット）と変換された画像データ（ｎ'ビット）のビット数に関し、「ｎ'＝ｎ又はｎ＋１」とあるように、「ｎ'＝ｎ＋１」である場合に加え、「ｎ'＝ｎ」であるという発明特定事項を付加したものであるから、本願発明において「ｎ'＝ｎ＋１」である場合は、本願補正発明と同一である。 
　そうすると、本願補正発明が、前記「２　（４）当審の判断」に記載したとおり引用発明及び周知・慣用の技術１、２に基づいて当業者が容易に発明をすることができたものであるから、本願発明も同様の理由により、引用発明及び周知・慣用の技術１、２に基づいて当業者が容易に発明をすることができたものである。 
 　 
６　むすび  
　以上のとおり、本願発明は、引用発明及び周知・慣用の技術１、２に基づいて当業者が容易に発明をすることができたものであるから、特許法第２９条第２項の規定により特許を受けることができない。  
　したがって、他の請求項に係る発明について審理するまでもなく、本願は拒絶すべきものである。 
　よって、結論のとおり、審決する。